(57)【特許請求の範囲】
【請求項１】
車両の入出庫を規制するためのロック板を具備していない複数の駐車スペースからなる、複数の駐車場への車両の入出庫を管理する駐車場管理システムにおいて、前記駐車場管理システムは、
前記駐車場に駐車する車両に関連する情報を前記車両の車両ナンバー毎に格納するデータベースを有する管理装置と、
前記駐車スペースへの車両の入庫および前記駐車スペースからの車両の出庫を示す検出信号を出力する車両検出センサと、
有線または無線の電気通信回線によって前記管理装置に結合され、前記駐車場の駐車スペースに入庫する車両を撮影するために前記駐車場に設置された撮像装置と、
前記管理装置に電気的に結合されかつ前記駐車スペース毎に設置され、駐車料金の精算手続の状況を少なくとも文字または音響により通知する通知装置と、
を含み、
前記車両に対する駐車料金を支払わないで、かつ前記車両が前記駐車スペースから出庫しようとした場合、前記通知装置は、前記駐車スペースからの前記車両の出庫を示す検出信号に基づいて、前記車両に対する駐車料金が未払いであることを示す警報を前記通知装置から送出し、
前記管理装置は、前記車両が駐車料金を支払わないで出庫した場合、未払い車両の出庫を前記撮像装置によって撮影された画像情報から読取られた未払い車両の車両ナンバーに関連する、前記データベースの所定の領域に記録するとともに、前記未払い車両が前記駐車場に再入庫した場合、警報表示を示す、
ことを特徴とする駐車場管理システム。
【請求項２】
前記車両ナンバーは、前記撮像装置で前記画像情報から読取られることを特徴とする請求項１記載の駐車場管理システム。
【請求項３】
前記管理装置は、前記駐車場の各々に設置された制御装置をさらに含み、前記車両検出センサ、前記撮像装置、および、前記通知装置は、それぞれ前記制御装置に電気的に結合されることを特徴とする請求項１または２記載の駐車場管理システム。
【請求項４】
前記撮像装置によって撮影された画像情報から前記車両ナンバーを読取ることができない場合、前記画像情報を前記管理装置の所定の領域に格納することを特徴とする請求項１ないし３記載の駐車場管理システム。
【請求項５】
前記車両に関連する情報は、駐車場の利用時間、駐車料金の支払いおよび未払い状況、駐車場の利用契約の有無を少なくとも含む前記車両の現在および過去における駐車場の利用状況を示す情報からなることを特徴とする請求項１記載の駐車場管理システム。
【請求項６】
前記車両が前記駐車場の利用を契約している場合、前記管理装置は前記車両の出庫時に駐車料金の精算を求めないことを特徴とする請求項１記載駐車場管理システム。
【請求項７】
前記車両が駐車料金を支払わないで出庫した場合、前記撮像装置が撮影した前記画像情報を前記通信回線を介して前記管理装置へ送出し、前記管理装置の所定の領域に前記車両ナンバーと関連付けて格納することを特徴とする請求項１記載の駐車場管理システム。
【請求項８】
前記管理装置に結合された精算器をさらに含み、前記精算器は前記管理装置から送られた前記車両に関連する情報に基づき駐車場の利用者に課金情報を含む利用明細を表示することを特徴とする請求項１記載の駐車場管理システム。
【請求項９】
前記撮像装置は、少なくとも静止画および動画のいずれかを撮影することができることを特徴とする請求項１記載の駐車場管理システム。
【請求項１０】
前記撮像装置は、前記駐車場の前記駐車スペース毎に設置されることを特徴とする請求項１記載の駐車場管理システム。
【請求項１１】
前記電気通信回線は、インターネット網を含むことを特徴とする請求項１記載の駐車場管理システム。
【請求項１２】
前記駐車場管理システムによって管理される駐車場に入庫した車両の車両ナンバーが前記データベースに記録された未払い車両の車両ナンバーと一致した場合、未払いの駐車料金を前記未払い車両が再入庫した駐車場で請求することを特徴とする請求項１から１１のいずれかの請求項記載の駐車場管理システム。
【請求項１３】
車両の入出庫を規制するためのロック板を具備していない複数の駐車スペースからなる、複数の駐車場への車両の入出庫を管理する駐車場管理方法において、
前記駐車場に設置された撮像装置によって、前記駐車場の駐車スペースに入庫する車両を撮影する段階と、
前記駐車スペースへの車両の入庫および前記駐車スペースからの車両の出庫を示す検出信号を検出する段階と、
前記撮影する段階によって撮影された画像情報から読取られた前記車両の車両ナンバー毎に前記駐車場に駐車する車両に関連する情報をデータベースに記録する段階と、
駐車料金の精算手続の状況を前記駐車スペースに設置された通知装置が少なくとも文字または音響により通知する段階と、
前記車両に対する駐車料金を支払わないで、かつ前記車両が前記駐車スペースから出庫しようとした場合、前記駐車スペースからの前記車両の出庫を示す検出信号に基づいて、前記車両に対する駐車料金が未払いであることを示す警報を前記通知装置から送出する段階と、
前記車両が駐車料金を支払わないで出庫した場合、未払い車両の出庫を前記画像情報から読取られた未払い車両の車両ナンバーに関連する、前記データベースの所定の領域に記録する段階と、
前記未払い車両が前記駐車場に再入庫した場合、警報表示を示す段階と、
を含むことを特徴とする駐車場管理方法。
【請求項１４】
駐車中の前記車両が駐車料金を未納している場合、前記車両が出庫するとき未納の駐車料金を請求する段階をさらに含むことを特徴とする請求項１３記載の駐車場管理方法。
【請求項１５】
前記駐車場管理方法は複数の前記駐車場を管理し、前記駐車場管理方法によって管理される駐車場に入庫した車両の車両ナンバーが前記データベースに記録された未払い車両の車両ナンバーと一致した場合、未払いの駐車料金を前記未払い車両が再入庫した駐車場で請求する段階をさらに含むことを特徴とする請求項１３記載の駐車場管理方法。
【発明の詳細な説明】
【技術分野】
【０００１】
本発明は、駐車場の管理システムおよびその管理方法に関し、さらに詳しくは、撮像装置によって撮影された駐車車両の車両ナンバー毎に、駐車車両の入出庫情報や課金情報を管理する駐車場管理システムおよびその管理方法に関する。
【背景技術】
【０００２】
無人の駐車場を管理する様々なシステムが従来から提案されている。無人駐車場を管理するためには、車両の入庫および出庫の管理が重要であり、その管理は、入出庫時間の記録とその記録に基づく課金徴収および不正出庫の防止が基本となる。入出庫時間の記録は、車両の進入・退出を磁気センサ、光センサ、カメラなどにより検出することが行なわれている。
【０００３】
特開平８−２２５９７号公報に記載された駐車場集金システムは、入出庫時に車両のナンバープレートをカメラで撮影し、撮影された画像情報を入庫時間とともにメモリに記憶し、その車両番号を基礎に入庫車両が管理される。駐車料金はその車両の入出庫時間から計算され、計算された駐車料金は出口に設置された集金装置で集金される。集金が確認されると、出口ゲートが開き車両は一般道へ出ることができる。
【０００４】
特開平８−２２５９７号公報では、車両の入出庫は、カメラにより撮影した画像情報から車両ナンバーを認識し、駐車料金の集金を確認して駐車場のゲートを開く駐車場集金システムが開示されている。その結果、駐車券の発券を省くことが可能となる。
【先行技術文献】
【特許文献】
【０００５】
【特許文献１】特開２００６−１２７００５号公報
【特許文献２】特開２００５−３４６５５１号公報
【特許文献３】特開平８−２２１６２６号公報
【特許文献４】特開２００１−１７５９９５号公報
【特許文献５】特開２００４−２３４４２９号公報
【特許文献６】特開平４−２４１０９９号公報
【発明の開示】
【発明が解決しようとする課題】
【０００６】
しかしながら、特許文献１に開示されているシステムでは、特定の一箇所の駐車場で利用できる駐車場集金システムを開示しているに過ぎず、複数の地域に分散して設置されている駐車場の入出庫管理や課金管理などを車両毎に一元的に管理することはできないという欠点がある。
【０００７】
また、契約を結んだ利用者が複数の駐車場を自由に利用でき、かつ利用料金を一元的に管理できる駐車場管理システムを構築することができないという欠点がある。さらに、駐車料金を未納のまま出庫した利用者に対して未納料金を再請求できないという欠点がある。
【課題を解決するための手段】
【０００８】
本願発明は、上述した課題を解決するためになされたもので、車両の入出庫を規制するためのロック板を具備していない駐車スペースからなる駐車場への車両の入出庫を管理する駐車場管理システムにおいて、その駐車場管理システムは、駐車場に駐車する車両に関連する情報を車両の車両ナンバー毎に格納するデータベースを有する管理装置と、有線または無線の電気通信回線によって管理装置に結合され、駐車場の駐車スペースに入庫する車両を撮影するために駐車場に設置された撮像装置と、管理装置に電気的に結合されかつ駐車スペース毎に設置され、駐車料金の精算手続の状況を少なくとも文字または音響により通知する通知装置と、を含み、管理装置は、車両が駐車料金を支払わないで出庫した場合、未払い車両の出庫をデータベースに記録することを特徴とする駐車場管理システムである。
【０００９】
また、本願発明は、データベースが駐車中の車両に対して駐車料金の未納を示している場合、この車両が出庫するとき未納の駐車料金を請求することを特徴とする。
【００１０】
さらに、本願発明は、上述した課題を解決するためになされたもので、車両の入出庫を規制するためのロック板を具備していない駐車スペースからなる駐車場への車両の入出庫を管理する駐車場管理方法において、駐車場に設置された撮像装置によって、駐車場の駐車スペースに入庫する車両を撮影する段階と、その撮影する段階によって撮影された画像情報から読取られた車両の車両ナンバー毎に駐車場に駐車する車両に関連する情報をデータベースに記録する段階と、駐車料金の精算手続の状況を駐車スペースに設置された通知装置が少なくとも文字または音響により通知する段階と、車両が駐車料金を支払わないで出庫する場合、未払い車両の出庫をデータベースに記録する段階と、を含むことを特徴とする駐車場管理方法である。
【発明の効果】
【００１１】
本願発明に従えば、本システムの適用された複数の駐車場では、利用者はいずれの駐車場でも自由に利用することが可能であると共に、特に駐車場利用契約を締結した利用者、特に運送業などに従事する利用者は、いずれの駐車場を利用しても一元的に料金の精算が可能となる。また、駐車場管理者からは、車両ナンバーから車両を一元的に管理できるので、過去に不払いをした利用者に対して再度の課金請求をいずれかの駐車場で実行することが可能となる。
【図面の簡単な説明】
【００１２】
【図１】本発明の一実施例である駐車場管理システムを示すブロック図である。
【図２】入庫する車両の車両ナンバーを撮影するときの状況を説明する図である。
【図３】車両に接近する運転者を検出する状況を説明する図である。
【図４】表示装置を有するカメラ・ボックスの別の例を示す図である。
【図５】駐車場の利用契約を締結している契約者リストを含む契約車両データベースの一例である。
【図６】駐車料金を精算せずに出庫した車両のリストを示す不正出庫車データベースの一例である。
【図７】精算器等の設備不良により利用者が駐車料金を支払わないで出庫した車両の車両ナンバーと出庫時間を記録する機器不良による出庫データベースである。
【図８】利用者が駐車場を利用した時間・利用駐車場などを車両ナンバー別に記録したナンバー別利用状況データベースである。
【図９】車両が入庫した場合の中央管理装置の動作を示すフローチャートである。
【図１０】車両が出庫した場合の中央管理装置の動作を示すフローチャートである。
【発明を実施するための形態】
【００１３】
本願発明を実施するための最良の形態が図面を参照して以下説明されるが、図面に示される構成は、本願発明の特徴の理解を容易にするために簡略化されている。しかしながら、本願発明は、図面および実施例の説明に限定されることはなく、特許請求の範囲に記載によってのみ定義される。
【００１４】
図１は、本願発明が適用される駐車場管理システム１０の一実施例を示す構成ブロック図である。図１に示される駐車場管理システム１０は、中央管理装置１１と専用回線または通常の電話回線やインターネット網等の通信回線１２，１２ａ，１２ｂを介して結合され、駐車場１３，１３ａ，１３ｂ内に設置された現場制御装置１４，１４ａ，１４ｂを有するが、さらに多くの駐車場の現場制御装置に結合されていてもよい。
【００１５】
駐車場１３は、駐車スペース１５に区画され、１区画に１台の車両を駐車させることができる。各駐車スペースには、カメラ・ボックス１６がポール上に設けられ、その内部には撮像装置であるカメラ１７と駐車スペース内に人が侵入したかどうかを検出する人感センサ１８が設けられている。カメラ１７は、通常使用される工業用カメラでよく、静止画または動画を撮影できればなんでもよい。また、人感センサ１８は、例えば、焦電センサであり、赤外線で対象物の温度を測定し、温度差から人の存在を検出することができる。さらに、カメラは駐車スペース毎に設置する必要はなく、所定数の駐車スペースを撮影できるように設置してもよい。この場合、いずれの駐車スペースに車両が入庫したかは、撮影した画像情報を解析して特定される。
【００１６】
カメラ１７および人感センサ１８は、信号線１９，２０によって現場制御装置１４にそれぞれ結合され、カメラ１７の画像信号および人感センサ１８の検出信号は、それぞれ現場制御装置１４に伝えられる。現場制御装置１４は、受信した各信号から所望のデジタル信号に変換するが、それらの回路構成および処理回路の具体的構成は従来技術に属するのでここでは詳しくは述べない。
【００１７】
また、駐車場１３には、現場制御装置１４に結合された料金精算器２１が設置され、利用者が出庫する際に駐車場の利用料金を精算器２１から支払うことができる。料金精算器２１は、図示していないが、硬貨や紙幣の投入口および利用者への課金情報やその他のサービス情報等を示す表示装置が設けられている。
【００１８】
他の駐車場１３ａ，１３ｂにも、上述した現場制御装置１４、ボックス１６内に設けられたカメラ１７および人感センサ１８、および、料金精算器２１が同じ構成で配置されているが、同じ目的が達成できるなら、他の構成を採用してもよい。
【００１９】
次に、図１に示される駐車場管理システムの動作について、図２を用いながら以下説明する。図２に示されるように、車両２３が駐車スペース１５に入庫する場合、カメラ１７は方向２４に向かって車両ナンバー２５を含む入庫車両２３を撮影する。その映像は、静止画でも動画でもよい。撮影された画像信号は、信号線１９を介して、現場制御装置１４へ伝送される。あるいは、カメラ１７が撮影された画像から車両ナンバー２５を抽出し、その車用ナンバー２５のデジタル情報を信号線１９を介して、現場制御装置１４、さらに通信回線１２によって中央管理装置１１へ伝送することができるようにしてもよい。
【００２０】
その画像信号は、現場制御装置１４内でデジタル情報へ変換され、所定のメモリに格納される。現場制御装置１４は、所定の画像処理に従ってデジタル情報へ変換された画像情報から、その画像情報内に含まれる車両ナンバー２５を抽出する（車用ナンバー２５がカメラ１７から伝送される場合、車両ナンバー２５を画像情報から抽出する処理は行なわれない）。その抽出された車両ナンバー２５は、現場制御装置１４内のメモリに格納されるとともに、インターネット網を含む電気通信回線１２を介して、駐車場１３の駐車場番号、その車両２３が入庫した駐車スペース１５の駐車スペース番号、その車両２３を撮影した撮影日時などを加えて中央管理装置１１へ送られる。中央管理装置１１へ送られたデータは、中央管理装置１１内のメモリ装置に設けられたデータベースの所定の領域にそれぞれ格納される。車両ナンバーが画像情報から抽出できない場合、画像情報は中央管理装置１１へ送られ、中央管理装置１１の所定のメモリ領域に格納されてもよい。この画像情報は目視により車両ナンバーを特定するために利用することができる。格納されたデータは、本システムが提供する様々なサービスに利用されるが、その内容は後述される。
【００２１】
なお、車両が所定の駐車スペースに入庫した時刻および駐車スペースから出庫した時刻は、各駐車スペースに設けられた車両検出センサ（図示せず）からの検出信号に基づいて求められる。車両検出センサは、磁界の変化を検出するループセンサ、車体による光の進行を遮断されることにより車両の存在を検出する光センサ、あるいは車両の重量を検出する重量センサなどが用いられる。また、上述したようにカメラ１７が車両を撮影しているので、その画像情報から車両の存在を判別し、車両の入出庫時間を特定することもできる。
【００２２】
次に、出庫する場合の手順について説明する。利用者は、まず駐車料金を支払うために精算器に立ち寄り、駐車スペースの番号を入力する。入庫時間から駐車料金が算出され、その駐車料金が精算器の表示画面上に表示される。利用者は、その料金を精算器に支払い、領収書を受取ることにより、精算が完了する。精算が完了した事実は、制御装置を介して中央管理装置へ送られ、データベースの所定の領域に書き込まれる。
【００２３】
利用者の中には、精算手続きをうっかり忘れて出庫しようとすることもあるので、そのような利用者へ注意を促すことが必要となる。図３に示すように、利用者３１が自車３２に接近すると、人感センサ１８は利用者からの赤外線３３を検出し、例えば図４に示されるような表示パネル４１をボックス１６の代わりにボックス４２に取り付け、例えば「課金中」という文言を表示するようにしてもよい。また、表示だけではなくスピーカ４３から利用者向けのメッセージを流し、注意を喚起するようにしてもよい。この場合、周囲の環境に配慮するために、マイクロフォン４４によって周囲音を測定し、スピーカ４３から流すメッセージの音圧を制限することが望ましい。
【００２４】
車両が契約車である場合、精算器に立ち寄らないで出庫しようとしても、警報を発することはない。後述するように、契約車両は中央管理装置１１のデータベースに登録されているので、中央管理装置１１から現場制御装置１４に契約車であることが通報される。これにより、契約車両を運転する利用車は、出庫時になんらの精算手続きをする必要がなく、快適に運転を再開することができる。
【００２５】
次に、中央管理装置１１に設けられるデータベースについて説明する。図５ないし図８は、中央管理装置１１内に格納されている各種データベースの一例を示す。図５は、駐車場の利用契約を締結している契約者のリストを含む契約車両データベース５０の一例である。図５では、契約者と契約した車両ナンバーが列挙されている。図６は、駐車料金を精算せずに出庫した車両のリストを示す不正出庫車データベース６０の一例である。このデータベースでは、不正に出庫した車両の車両ナンバーと不正に出庫した時間が記録される。不正に出庫した車両の画像データをこのデータベース中に格納してもよいが、関連付けて他の領域に格納するようにしてもよい。また、不払いの駐車料金を記録しておいてもよい。図７は、精算器等の設備不良により利用者が駐車料金を支払わないで出庫した車両の車両ナンバーと出庫時間を記録するトラブル時出庫データベース７０である。また、未払いの駐車料金を記録しておいてもよい。図８は、利用者が駐車場を利用した時間・利用駐車場などを車両ナンバー別に記録したナンバー別利用状況データベース８０である。利用車両が契約車両である場合は、その利用状況を図５で示される契約車両データベースに記録できるようにしてもよい。その他、警察から手配された車両ナンバーを記録した手配車データベースも設けられている。図５ないし図８は、用途別に作成されたデータベースであるが、車両ナンバー毎に全ての項目を一元管理する形式のデータベースを構成してもよい。図５ないし図８に示された管理項目は一例であり、必要に応じてさらに別の項目を加えてもよい。さらに、図５ないし図８は、理解を容易にするために文字化して表現されているが、実際のデータベースは記号化あるいは符号化されたデジタル・データとして格納されていることは当然である。
【００２６】
図８に戻り、ナンバー別利用状況データベースについて、さらに説明する。左端の車両ナンバーの欄には、上述したようにカメラ（図２）により撮影され、現場制御装置が画像処理を行なって抽出した車両ナンバーが記録される。次の入庫時間・出庫時間は車両が駐車スペースに入った時刻および退去した時刻が記録される。出庫時間における「- - - - -」の標記は、現在駐車中で、まだ出庫していないことを示す。撮影時刻は、カメラが車両を撮影した時刻が記録される。駐車場番号および駐車スペース番号は、車両が駐車している場所を特定するために、駐車場毎にまた駐車スペース毎にそれぞれ割り振られた番号である。出庫状態は、車両がどのような状況で出庫したかを示す。表中の「正常」は、駐車料金の精算が完了していることを示し、「トラブル出庫」は、機器不良で出庫したことを示し、「不正出庫」は、未払いのまま出庫した状態を示す。また、「-
- -」の標記は、駐車中のため駐車料金がまだ精算されていないことを示す。
【００２７】
図５ないし図８に示されたデータベースを利用する中央管理装置１１の入庫時および出庫時の動作について、以下説明する。図９は、車両が入庫した場合の中央管理装置１１の動作を示すフローチャート９００を示す。まず、各駐車スペースに設置された車両センサが車両の侵入を検出し、現場制御装置から車両ナンバーが伝送されてくると、中央管理装置１１は、ステップ９０１で図６に示す手配車両データベースを参照し、ステップ９０２でそのリストに該当する車両ナンバーが存在するかどうかを検索する。手配車両が存在すると、処理はステップ９０３に進み、駐車場に手配車両が入庫しことを警告する。この警告に基づき必要があれば、駐車場管理者は警察等に通報することができる。入庫車両が手配車両でない場合、処理はステップ９０４に進む。
【００２８】
ステップ９０４では、入庫車両が契約車両であるかどうかを図５に示す契約車両データベース５０を利用して検索する。契約車両である場合、処理はステップ９０５から９０６へ進み、入庫車両が契約車両であり、そのまま出庫しても問題ないことを現場制御装置へ送信する。送信が完了すると、中央管理装置１１は、利用状況データベース８０に契約車両であることを記録し、入庫管理処理を終了する。
【００２９】
入庫車両が契約車両でない場合、ステップ９０７へ進み、ナンバープレート別利用状況データベース８０を参照する。今回入庫した車両が新規の車両であるかどうかが、ステップ９０８で検索される。新規車両である場合、ステップ９０９でナンバープレート別利用状況データベース８０に車両ナンバーが登録される。例えば、ナンバープレート別利用状況データベース８０において、車両ナンバー「品川〇〇−〇〇〇〇」８１が新規である場合、その車両ナンバーの他、入庫時間、撮影日時、その車両が入庫した駐車場の番号および駐車スペースの番号が記録される。その後、ステップ９１０で現場制御装置１４へ今回入庫した車両は新規の車両であることを送信し、現場制御装置１４は、例えば、その利用者へサービス内容等の紹介を行なう。
【００３０】
ステップ９０８で、入庫車両が新規でない場合、中央管理装置１１の処理は、駐車料金の未払い状況を調べる。まず、ステップ９１１において、過去にトラブル時の未払いがあるかどうかをトラブル時出庫データベース７０で参照する。存在する場合、ステップ９１２からステップ９１３へ進み、中央管理装置１１は過去にトラブル時による未払いがあることを現場制御装置１４へ送信する。現場制御装置１４は、中央管理装置１１からの送信に基づき、例えば精算器から利用者に過去に未払いがあり今回の精算時に加算されることを案内することができる。
【００３１】
その後、処理は、ステップ９１４へ進み、不正出庫車データベース６０を参照して、過去に不正に未払いのまま出庫した事実があるかどうかを検索する。ステップ９１５で、不正出庫が存在すると判断されると、処理はステップ９１６へ移り、警告表示が示され、駐車場管理者に注意を促すとともに、ステップ９１７で現場制御装置１４へも送信され、利用状況データベース８０に入庫が登録される。不正出庫の頻度の高い車両が入庫した場合は、現場責任者が利用者に注意を促すとともに、過去の駐車料金の精算を行なうよう求めることができる。
【００３２】
ステップ９１５において、不正出庫の事実が確認できない場合、善良な車両と判断し、その情報をステップ９１８で現場制御装置１４へ送信するとともに、利用状況データベース８０に入庫が登録される。
【００３３】
次に、中央管理装置１１の出庫時の動作について説明する。図１０は、車両が出庫した場合の中央管理装置１１の動作を示すフローチャート１０００を示す。まず、車両センサ（図示せず）が駐車スペースに駐車していた車両の移動を検出すると、出庫が開始したと判断する。駐車場番号および駐車スペース番号から出庫車両が特定され、ステップ１００１でその車両が契約車両かどうかを判断する。契約車両の場合、処理はステップ１００２へ進み、契約車両データベース５０に売上の登録を行なう。すなわち、契約者の車両ナンバー毎に利用した日時、利用料金、および利用した駐車場が記録される。この記録は、例えば月毎の請求書を作成する場合に利用される。契約車両データベース５０への売上登録が完了すると、ステップ１００３へ進み、利用状況データベース８０の出庫状態欄に「正常」８２が記録され、契約車両に対する出庫時の処理は終了する。
【００３４】
ステップ１００１で出庫車両が契約車両でない場合、ステップ１００４において、利用車の出庫が機器不良による出庫である場合、トラブル時の未払い出庫と判断し、ステップ１００５でトラブル時出庫データベース７０に、出庫車両の車両ナンバー、出庫時間および未納料金が記録される。この未納料金は、同じ車両が本駐車場システムで運営されるいずれかの駐車場に再度利用した際に請求される。トラブル時出庫データベース７０へトラブル時出庫データが記録されると、処理は、ステップ１００３へ進み、利用状況データベース８０の出庫状態欄に「トラブル出庫」８３が記録され、機器不良により駐車料金を支払えなかった車両に対する出庫時の処理は終了する。
【００３５】
ステップ１００６において未払いのまま出庫した車両（不正出庫）と判断すると、ステップ１００７へ進む。ステップ１００７で未払い出庫データベース６０に、出庫車両の車両ナンバー、出庫時間および未納料金が記録される。この未納料金は、同じ車両が本駐車場システムで運営されるいずれかの駐車場に再度利用した際に請求される。未払い出庫データベース６０へ未払い出庫データが記録されると、処理は、ステップ１００８へ進み、警報表示を行なう。この警報表示は、例えば駐車場管理者への注意を喚起するために行なわれてもよく、また現場管理者が不正出庫車に未払いである旨の通知を行なってもよい。未払いのまま出庫した事実を残すため、ステップ１００９において現場制御装置１４に記録されている画像情報を中央管理装置１１へ送り、その画像情報を未払い出庫データベース６０と関連付けて所定の記憶領域に格納する。以上の処理が完了すると、ステップ１００３で利用状況データベース８０の出庫状態欄に「未払い出庫」８４が記録され、未払いのまま出庫した車両に対する処理は終了する。
【００３６】
ステップ１００６で、未払いのまま出庫した車両でないと判断すると、その車両は善良な車両であると判断し、ステップ１００３へ進む。ステップ１００３では、利用状況データベース８０の出庫状態欄に「正常」と記録される。
【産業上の利用可能性】
【００３７】
本発明に係る駐車場管理システムは、地域的に離れた複数の駐車場に入庫および出庫する車両を車両ナンバー毎に一括して管理することができ、特に、未払いのまま出庫した車両（特に、不正に出庫した車両）に対する駐車料金の請求を次回入庫した際に求めることができるので、未納駐車料金の回収効率を高めることができる。また、駐車場の利用契約を結んだ利用者との間では利用の度に駐車料金の請求を行なう必要はなく、また利用者も支払う必要もないので、駐車場利用の利便性が向上する。さらに、駐車料金を支払わない車両の車両ナンバーが保存され、駐車料金を追跡して請求できるので、敢えて設備費用の高価なロック板を各駐車スペースに設置する必要がない。
【符号の説明】
【００３８】
１０  駐車場管理システム
１１  中央管理装置
１２，１２ａ，１２ｂ  通信回線
１３，１３ａ，１３ｂ  駐車場
１４，１４ａ，１４ｂ  現場制御装置
１５  駐車スペース
１６  カメラ・ボックス
１７  カメラ
１８  人感センサ
２５  車両ナンバー
【図１】
0005339645.tif 000002
【図２】
0005339645.tif 000003
【図３】
0005339645.tif 000004
【図４】
0005339645.tif 000005
【図５】
0005339645.tif 000006
【図６】
0005339645.tif 000007
【図７】
0005339645.tif 000008
【図８】
0005339645.tif 000009
【図９】
0005339645.tif 000010
【図１０】
0005339645.tif 000011